(57)【要約】      （修正有）【課題】ハンドルステムを前方に押し出し又は移動させ且つハンドルステムを後方に引っ張ることにより、スピンドルを回転又は駆動させるカップリング又は伝動装置を有する複合自転車運動装置を提供する。【解決手段】スピンドル１４は、ベース１１上に回転可能に支持され、単一方向に回転可能なベアリングにそれぞれの端部で回転可能に結合された２つのフォロアーを有する。２つの結合部材は、回転部材をフォロアーに結合し、回転部材は、回転部材の１つとフォロアーの１つの間で係合され、回転部材に相対して異なる方向へとスピンドルが回転することを可能とし、且つ、ハンドルステム３１がピボットアクセル２５に相対して往復動作にて回転される際、フォロアーのそれぞれと回転部材のそれぞれを交互に介してハンドルステムによりスピンドルを連続して駆動させることを可能とする。【選択図】図１
0003111499.tif 000002
【実用新案登録請求の範囲】
【請求項１】
ベース；
ユーザーにより制御される、スピンドルとクランクとで前記ベースに回転可能に結合された一対のフットペダル；
ユーザーにより往復動作にて、押し出し、引っ張り、且つ動作される、ピボットアクセルで前記ベースに枢軸回転可能に結合された底部をそれぞれ有し上部分を有する一対のハンドルステム；
前記ハンドルステムにより、前記ピボットアクセルに相対してそれぞれ回転され得る、前記ハンドルステムの前記底部に固定され、前記ピボットアクセルに相対して前記ハンドルステムと協調して回転される、第１回転部材及び第２回転部材；
前記ベース上に回転可能に支持され、単一方向に回転するベアリングでその上に回転可能に結合された第１フォロアー及び第２フォロアーをそれぞれ有する２つの端部を有する、スピンドル；
前記第１回転部材及び前記第２回転部材並びに前記第１フォロアー及び前記第２フォロアーにそれぞれ結合された第１結合部材及び第２結合部材；並びに
前記第１結合部材に係合され、前記スピンドル及び前記第１回転部材を異なる方向に回転させるように配置され、前記ハンドルステムが往復動作にて前記ピボットアクセルに相対して回転される際、前記第１フォロアー及び前記第２フォロアー並びに前記第１回転部材及び前記第２回転部材を介して、前記ハンドルステムにより連続して前記スピンドルを回転且つ駆動させ得るようにする、回転要素；
を有することを特徴とする複合自転車運動装置。
【請求項２】
前記ハンドルステムは、前記上部分に結合されたハンドグリップをそれぞれ有し、
前記ベースは、上に配置されたフレームを有し、
前記フレームは、回転可能に固定されたレバーを有し、
加圧部材は、前記第１結合部材及び前記第２結合部材を伸張し且つ張るように、前記レバーに回転可能に結合され、且つ、前記第１結合部材又は前記第２結合部材のいずれかに係合され、
前記フレームは、前記結合部材に係合し該結合部材に応力を与える前記加圧部材を付勢するように、前記レバーに係合されたスプリング部材をさらに有することを特徴とする請求項１に記載の複合自転車運動装置。
【考案の詳細な説明】
【技術分野】
【０００１】
本考案は、複合自転車運動装置に係り、特に、ハンドルステムを前方に押し出し又は移動させ且つハンドルステムを後方に移動させることによりスピンドルを回転又は駆動させるためのカップリング又は伝動装置を有する複合自転車運動装置に関する。
【背景技術】
【０００２】
従来の複合自転車運動装置は、フットベダルで駆動される伝動ボックスと、伝動ボックスに枢軸回転可能に結合されたハンドルとを備え、内的又は外的にハンドルを回転可能とさせ、且つ、ユーザーがペダル駆動又はサイクリング運動を行うのを可能とするとともに手動での作動運動とを同時に行うことを可能としている。
【０００３】
例えば、Ｌｅｅによる特許文献１は、サドルサポーターを駆動させ、このサドルを前後に移動させるため、出力シャフトにおいて回転ブッシュを形成するための、且つ、ユニバーサルジョイントを駆動するための、ユーザーにより回転又は駆動されるように設けられた一対のフットペダルと、フットペダルで駆動される伝動ボックスとを備えた典型的な複合自転車運動装置を開示する。また、ハンドルが内的且つ外的に回転するように、複数の結合ロッドが上記のユニバーサルジョイントを２つのハンドルに結合する。
【０００４】
しかしながら、これらハンドルは、ユーザーにより引っ張られ或いは駆動される一方でハンドルが前後に同時に移動されるように、且つ、ユーザーが典型的な複合自転車運動装置を交互に駆動するようにハンドルが引っ張られ且つ押し出され或いは作動されないように、サドル支持体に直接且つ同時に結合される。
【０００５】
Ｐｅｔｅｒｓｅｎによる特許文献２は、往復運動を単一方向の回転動作へと変換するために設けられた別の複合自転車運動装置を開示しており、これは、一方向性の２つのクラッチ上にそれぞれ取り付けられた２つのピニオンと、このピニオンにそれぞれ係合された２つのラックとを備え、この２つのラックが交互に移動される際シャフトを駆動させる。これらのラックは、ハンドル又はエクササイズアームにより移動又は作動されるように、それぞれ２つのハンドル又はエクササイズアームに枢軸回転可能に取り付けられている。
【０００６】
しかしながら、これらラックは、ハンドルがシャフトを上回るのに十分早い速度で移動、回転又は作動されるように且つユーザーの意思で適切な作動されないように、シャフトを上回るのに十分な速度で駆動方向及び／又は往復方向に移動されるべきものである。
【特許文献１】米国特許第４，６６０，８２６号明細書
【特許文献２】米国特許第５，９９２，２５３号明細書
【考案の開示】
【考案が解決しようとする課題】
【０００７】
本考案は、従来の複合自転車運動装置に係る上述の欠点を緩和及び／又は克服するようになされたものである。
【０００８】
本考案の主目的は、ハンドルステムを前方に押し出し又は移動させ且つハンドルステムを後方に引っ張ることにより、スピンドルを回転又は駆動させるカップリング又は伝動装置を有する複合自転車運動装置を提供することである。
【課題を解決するための手段】
【０００９】
本考案によると、本考案に係る複合自転車運動装置は：
ベース；
ユーザーにより制御される、スピンドルとクランクとで前記ベースに回転可能に結合された一対のフットペダル；
ユーザーにより往復動作にて、押し出し、引っ張り、且つ動作される、ピボットアクセルで前記ベースに枢軸回転可能に結合された底部をそれぞれ有し上部分を有する一対のハンドルステム；
前記ハンドルステムにより、前記ピボットアクセルに相対してそれぞれ回転され得る、前記ハンドルステムの前記底部に固定され、前記ピボットアクセルに相対して前記ハンドルステムと協調して回転される、第１回転部材及び第２回転部材；
前記ベース上に回転可能に支持され、単一方向に回転するベアリングでその上に回転可能に結合された第１フォロアー及び第２フォロアーをそれぞれ有する２つの端部を有する、スピンドル；
前記第１回転部材及び前記第２回転部材並びに前記第１フォロアー及び前記第２フォロアーにそれぞれ結合された第１結合部材及び第２結合部材；並びに
前記第１結合部材に係合され、前記スピンドル及び前記第１回転部材を異なる方向に回転させるように配置され、前記ハンドルステムが往復動作にて前記ピボットアクセルに相対して回転される際、前記第１フォロアー及び前記第２フォロアー並びに前記第１回転部材及び前記第２回転部材を介して、前記ハンドルステムにより連続して前記スピンドルを回転且つ駆動させ得るようにする、回転要素；
を有することを特徴とする。
【００１０】
ハンドルステムは、それぞれ、下部に固定されたバレルを好ましく有し、第１及び第２回転部材は、このバレル上に固定され、従って、ハンドルステムに固定され、それぞれ、ハンドルステムと協調して回転される。ハンドルステムは、それぞれ、上部に結合されたハンドグリップを有し、ユーザーが前方及び後方に押し出す際、ユーザーによりハンドルステムを容易に動作させ得るように配置される。
【００１１】
ベースは、上部に回転可能に支持された第１ホイールを有し、スピンドルは、これに固定されスピンドルと協調して回転され第１ホイールに結合された第２ホイールを有し、第２ホイールを介してスピンドルにより第１ホイールを回転し得るようにしている。
【００１２】
ベースは、第１ホイールと第２ホイールとにともに結合するように、第１ホイール及び第２ホイールに係合された結合要素を有する。ベースは、これに結合された制動装置を有し、第１ホイールを制動する。
【００１３】
ベースは、この上に配置されたフレームを有し、且つ、ユーザーを支持するため、フレーム上にシート支持体を有する。フレームは、この上部上に設けられたレールを有し、シートを摺動可能且つ調節可能に支持する。
【００１４】
フレームは、これに回転可能に固定されたレバーと、このレバーに回転可能に結合され第１結合部材及び第２結合部材のいずれかに係合される加圧部材とを有し、第１結合部材及び第２結合部材を伸張し、且つ、張るようにしている。フレームは、レバーに係合されたスプリング部材を有し、結合部材に係合し且つ結合部材に対し応力を与える加圧部材を付勢する。
【００１５】
本考案のさらなる目的及び利点は、添付した適切な図面を参照しつつ、以下の記述を注意深く読むことにより明らかとなるであろう。
【考案の効果】
【００１６】
ハンドルステムを前方に押し出し又は移動させ且つハンドルステムを後方に引っ張ることにより、回転又は駆動させ得る複合自転車運動装置が得られる。
【考案を実施するための最良の形態】
【００１７】
最初に図１乃至５を参照すると、本考案による複合自転車運動装置１０は、ベース１１を備え、ベース１１は、従来のサイクリング運動を実行するようにユーザーにより駆動又は作動されるための、一般的なスピンドル１４とクランク１５とを伴った、ベース１１の前部１２に回転可能に結合された一対のフットペダル１３と、ベース１１の前部１２又はこれから伸びて設けられその上部上に設けられたコントロール装置又はコントロールパネル１７を有する、ポスト１６とを有する。
【００１８】
複合自転車運動装置１０は、ベース１１の後部１９上に配置されその上部上に形成又は設けられたレール２０を有するフレーム１８をさらに含み、任意に摺動可能で及び／又は調節可能にシート２１及び／又はシートバック２２をその上部に支持し、且つ、ユーザーをその上部に支持する。ベース１１上に回転可能支持し且つフレーム１８に回転可能に取り付けられた従来のウェイト又はホイール２３をさらに設けてもよい。また、必要に応じて、ユーザーがホイール２３を制動するように、従来の磁気リターディング装置又は制動装置２４などの制動装置２４をさらに設けてもよい。
【００１９】
複合自転車運動装置１０は、さらにハンドルステム３０、３１のペアを有し、それぞれには、ピボットアクセル２５でベース１１に回転可能又は枢軸回転可能に結合された底部を有し、ユーザーが、ハンドルステム３０、３１を往復動作で引っ張り及び押し出し又は動作することを可能とする。また、ハンドルステム３０、３１のそれぞれは、これらの上部に回転可能又は枢軸回転可能に結合されたハンドグリップ３３を有し、ユーザーがハンドルステム３０を簡便且つ快適に引っ張り且つ押し出し或いは動作させることを可能としている。ハンドグリップ３３のハンドルステム３０、３１の上部に対する枢軸結合は、米国特許同時係属出願にて出願されているが、本考案に関連がないので、これ以上詳細には述べない。
【００２０】
ハンドルステム３０は、底部３２に結合又は固定されたバレル３４と、バレル３４上に固定され（図２及び図５参照）、或いは、ハンドルステム３０に固定され且つピボットアクセル２５に相対してハンドルステム３０と協調して回転される、２つのスプロケット、ギア、プーリー又は回転部材３５、３６とを有し、ハンドルステム３０、３１でピボットアクセル２５に相対して回転部材３５、３６及びバレル３４を回転可能としている。２つのベルト、ギア、チェーン又は結合部材３７、３８は、それぞれ回転部材３５、３６上に結合又は係合するように設けられてもよく、後述するように、回転部材３５、３６をその他の部品又は要素に結合する。
【００２１】
複合自転車運動装置１０は、ベース１１のフレーム１８に回転可能に結合されるなど、ベース１１に結合又はその上に支持されるように設けられたスピンドル４０をさらに有する。また、スピンドル４０は、２つの端部４１を有する。さらに、複合自転車運動装置１０は、単一方向に回転するベアリング４４、４５でスピンドル４０のそれぞれの端部４１に回転可能に取り付けられ且つ結合部材３７、３８で回転部材３５、３６に結合された、２つのスプロケット、ギア、プーリー、回転部材又はフォロアー４２、４３を有する。これらは、フォロアー４２、４３、結合部材３７、３８、回転部材３５、３６及びバレル３４を介して、ハンドルステム３０、３１によりスピンドル４０に相対してフォロアー４２、４３を回転可能としている。
【００２２】
図５及び図６を参照すると、単一方向に回転するフォロアー４２、４３用のベアリング４４、４５は、フォロアー４２、４３により連続してスピンドル４０を交互に回転し且つ駆動させるように設けられる。しかしながら、スピンドル４０は、活動方向へとフォロアー４２、４３により連続して回転し且つ駆動されるのに必要であるが、ハンドルステム３０、３１は、ピボットアクセル２５に相対して、前後、活性方向及び逆方向並びに往復動作を交互に回転される。
【００２３】
ハンドルステム３０、３１を前後に交互に回転させることにより、スピンドル４０をフォロアー４２、４３により連続して回転し且つ駆動させることを可能にするため、ベース１１のフレーム１８上に、回転可能に固定又は結合されてレバー２６を設ける必要があり、レバー２６は、自由端に回転可能に結合されたスプロケット、プーリー又は回転部材２７を有し（図２乃至４並びに図７及び８）、これら回転部材２７は、スピンドル４０及び回転部材３５を異なる方向に回転可能とするように、ベース１１のフレーム１８に直接且つ回転可能に結合され、且つ、結合部材３７で係合され、且つ、スピンドル４０を回転部材３５と回転部材２７との間に配置させるように配列され、及び／又は回転部材３５上に係合しその後回転部材２７に係合し、その後、フォロアー４２上に係合されるように、結合部材３７を有するように配列される。
【００２４】
例えば、図８に示すように、回転部材３５がハンドルステム３０、３１で反時計回りに回転される場合、スピンドル４０は、回転部材３５、回転部材２７及びフォロアー４２により時計回り或いは活性方向に回転されてもよい；また、図７に示すように、スピンドル４０が、ハンドルステム３０、３１の前後又は交互の回転によりフォロアー４２、４３による活性方向へと連続して回転且つ駆動されるように、スピンドル４０は、他の回転部材３６、他のフォロアー４３及び他の結合部材３８により、時計回り又は活性方向へと回転されてもよい。
【００２５】
動作時、図７及び図８に示すように、ハンドルステム３０、３１は、ピボットアクセル２５に相対して回転されてもよい。また、ハンドルステム３０、３１は、往復動作を交互に行うことにより、活性方向へとスピンドル４０を回転且つ駆動するように、且つ、ユーザーの上腕筋を鍛えるように、ユーザー及びシート２１から離れて前後に押し出し且つ引っ張られてもよい。スラストベアリング４６は、フォロアー４２、４３を互いに適切に分離し、且つ、フォロアー４２、４３が互いに動作或いは互いに接触することを阻止するため、単一方向に回転するベアリング４４、４５とフォロアー４２、４３との間に好ましく配置される（図６参照）。
【００２６】
図３及び４並びに図６乃至８に示すように、他のフォロアー、ウェイト又はホイール４７をさらにスピンドル４０上に固定して設けてもよく、且つ、スピンドル４０と協調して回転されてもよく、フォロアー４２、４３及びスピンドル４０を介して、ホイール４７をハンドルステム３０、３１により回転され駆動されることを可能とする。ホイール４７はその後、ベルト、ギア装置、チェーン、結合要素４８でホイール２３に結合されてもよく（図４）、ホイール４７によりホイール２３を回転及び駆動させ、並びに、ホイール２３がスピンドル４０及びハンドルステム３０、３１に抵抗応力を付与又は適用することを可能とする。
【００２７】
レバー５０は、ベース１１のフレーム１８上に回転可能に固定又は結合されて設けられてもよい。また、レバー５０は、自由端部に回転可能に結合され（図２乃至４並びに図７及び８）、且つ、結合部材３８などの結合部材３７、３８のいずれかに係合された、他のスプロケット、プーリー、回転部材、フォロアー又は加圧部材５１を有する。スプリング部材５２は、レバー５０に係合されてもよく、結合部材３８に係合するように且つ、結合部材３８に応力を与えるように加圧部材５１を付勢し、結合部材３８を伸張し、或いは、張り、従って、回転部材３６及びフォロアー４３を結合部材３８とともに強固に結合させ、従って、結合部材３８が回転部材３６及びフォロアー４３から離れるのを阻止される。
【００２８】
同様に、１つ以上のレバー５４をベース１１のフレーム１８に回転可能に固定又は結合させるように設けてもよい。また、これらレバー５４のそれぞれは、他のスプロケット、プーリー、回転部材又は加圧部材５５を有する。これらの加圧部材５５は、その自由端に回転可能に結合され（図２乃至図４並びに図７及び図８）、且つ、他の結合部材３７などの結合部材３７のいずれかに係合されてもよい。また、これらは、結合部材３７と係合し或いは結合部材３７に応力を与えるように付勢されてもよく、これにより、結合部材３７は伸張し、且つ、張り、従って、回転部材３５及びフォロアー４２は、結合部材３７とともに強固に結合可能となり、従って、結合部材３７は、回転部材３５及びフォロアー４２から離れることを阻止されるようになる。
【００２９】
動作時、スピンドル４０は、ピボットアクセル２５に相対して回転され、回転部材３５、３６、フォロアー４２、４３及び結合部材３７、３８を介して往復動作で且つ交互にユーザー及びシート２１に向かって引っ張られ且つこれらに向かって離れて押されるハンドルステム３０、３１の両方により、活性方向に連続して回転且つ駆動されてもよい。
【００３０】
従って、本考案による複合自転車運動装置は、ハンドルステム３０、３１を往復動作で交互に回転し、ハンドルステム３０を前方に押し出し或いは移動させるとともにハンドルステムを後方に引っ張ることにより、スピンドル及びウェイト又はホイールを活性方向へと連続的に回転又は駆動させる、結合又は伝動装置を有する。これにより、複合自転車運動装置は、ユーザーにより適切或いは効果的に動作され得るようになる。
【００３１】
本考案をある程度特定して述べてきたが、本考案に係る開示は、例示おんみを意図してなされたものであり、詳細な構造において種々の変更並びに部品の組み合わせ及び配置は、本考案の精神及び添付した実用新案登録出願の請求に規定した請求項の範囲を逸脱することなく、保存され得ることを理解すべきである。
【図面の簡単な説明】
【００３２】
【図１】本考案による複合自転車運動装置の斜視図である。
【図２】図１と同様の複合自転車運動装置の斜視図であって、外部カバーの一部が除かれこの運動装置の内部構造を示している。
【図３】図２に示した複合自転車運動装置の側方立面図である。
【図４】本考案による複合自転車運動装置の拡大部分側方立面図である。
【図５】本考案による複合自転車運動装置の拡大部分上面図である。
【図６】図５の線６−６に沿った、複合自転車運動装置の拡大部分断面図である。
【図７】本考案による複合自転車運動装置の動作を示す拡大部分側方立面図である。
【図８】本考案による複合自転車運動装置の動作を示す拡大部分側方立面図である。
【符号の説明】
【００３３】
１０    複合自転車運動装置
１１    ベース
１２    前部
１３    フットペダル
１４    スピンドル
１５    クランク
１６    ポスト
１７    コントロールパネル
１９    後部
２０    レール
２１    シート
２２    シートバック
２３    ホイール
２４    制動装置
２５    ピボットアクセル
２６    レバー
２７    回転部材
３０    ハンドルステム
３１    ハンドルステム
３２    底部
３３    ハンドグリップ
３４    バレル
３５    回転部材
３６    回転部材
３７    結合部材
３８    結合部材
４０    スピンドル
４１    端部
４２    フォロアー
４３    フォロアー
４４    ベアリング
４５    ベアリング
４６    スラストベアリング
４７    ホイール
４８    結合要素
５０    レバー
５１    加圧部材
５２    スプリング部材
５４    レバー
５５    加圧部材
【図１】
0003111499.tif 000003
【図２】
0003111499.tif 000004
【図３】
0003111499.tif 000005
【図４】
0003111499.tif 000006
【図５】
0003111499.tif 000007
【図６】
0003111499.tif 000008
【図７】
0003111499.tif 000009
【図８】
0003111499.tif 000010